(57)【要約】      （修正有）【課題】ソケット片端にソケットレンチを嵌合する四角形の嵌入孔を設け、他端には各種の多角形のヘッドを備えたボルト・ナットに対応する嵌合部を設けたソケットの構造を提供する。【解決手段】ソケットレンチに嵌合するソケット１０のボルト・レンチのヘッドとの嵌合部１２は、内側縁に２４個の凸部１３を設け、該２４個の凸部は間隔を取って配列しており、該間隔を取って配列する凸部間へ凹型の溝１４を設けており、嵌合部内の２４個の凸部及び凹型の溝により、ボルト・ナットとの嵌合関係は更に緊密になり、ボルトを締結、緩めるときに起こりうる空回りを防止し、確実に締結作業を行うことができる。上記凸部及び溝の数を各種のボルト・ナット頭部の角数の公倍数とすることにより、これらの異なるボルト・ナットに対応することができる。【選択図】図１
2005169558.tif 000002
【特許請求の範囲】
【請求項１】
ソケットレンチのソケットに係り、該ソケットに嵌合部を設け、該嵌合部内縁へ４，６，８の最小公倍数、代表的には２４個の凸部を設け、該凸部と凸部の間へ２４個の凹型溝を設けることにより、ソケットとボルト・ナットの嵌合時の接触を緊密にし、ボルト・ナットを締めるときに空回りを防止したことを特徴とするソケットの嵌合部の構造。
【請求項２】
前記嵌合部は、３６個の凸部及び凹型溝により構成することを特徴とする請求項１に記載のソケット嵌合部の構造。
【請求項３】
前記凹型溝の開口端の広さは、凹型溝の底端よりも小さいことを特徴とする請求項１に記載のソケット嵌合部の構造。
【請求項４】
前記凹型溝の開口端の広さは、凹型溝の底端よりも大きく、凹型溝は外へ向かうほど広がる状態を呈すことを特徴とする請求項１に記載のソケット嵌合部の構造。
【発明の詳細な説明】
【技術分野】
【０００１】
本発明は一種ソケットレンチのソケットの嵌合部の構造に係り、特に手工具でボルト・ナットを締めたり、緩めたりする過程において、空回りすることを防止するソケット嵌合部の構造に関わる。
【背景技術】
【０００２】
一般的にソケットは、四角形、六角形、八角形のボルト・ナットを締緩することに用いられるが、もしラチェット型、星型等の特殊なヘッドを具有するボルトを締緩する必要があるとき、且つ現在、ボルトはミリねじ及びインチねじの二種類の規格に区分されており、二種類の規格のボルトを一ソケットで締緩することはできないため、使用者はそれぞれのボルトに合う専用の工具を準備する必要があり、それは非常に不便であり、且つソケットをいくつも購入することにより、浪費となり、収納面においても不便である。
公知の「ラチェット歯を具有するソケットの構造」は、主にラチェット歯を具有するソケットの嵌合孔の内縁へ１２個の凸部を設け、該凸部の外端部は斜面を形成し、且つ凸部側面は円弧面を呈し、各凸部間は凹型の空間を設け、１２個の凸部はミリねじ、インチねじのサイズ及び特殊造型のボルトと嵌合し、締緩する効果となる。
【特許文献１】台湾特許公告第542056号
【発明の開示】
【発明が解決しようとする課題】
【０００３】
しかしながら、上述の公知の構造には問題点があり、
第一の問題点は、嵌合孔内に設ける１２個の凸部を利用してボルトと嵌合するものであるが、嵌合孔内に設ける１２個の凸部とボルトの間には大きめの隙間があいてしまい、締緩する時に空回りしてしまうことが発生し、何度も締緩する作業を繰り返しながらボルトを締緩しなくてはならない問題点がある。
第二の問題点は、公知のラチェット歯を具有するソケットは、その嵌合孔内には１２個の凸部しかなく、１２個のラチェット歯をボルトへ嵌合する時、ボルトのラチェット歯と嵌合孔の１２個のラチェット歯を噛合わせることに時間がかかるという欠点があり、全体的に上述の公知のラチェット歯を具有するソケットは実用性を具有しないため、改良の必要がある。
そこで、ボルトへの嵌合が確実で容易である本発明は締緩時の空回りを避け、ソケットの嵌合部とボルト・ナットが更に緊密に嵌合するソケット嵌合部の構造の提供を課題とする。
【課題を解決するための手段】
【０００４】
上記課題を解決するため、ソケット片端にソケットレンチへ嵌入する四角形の嵌入孔を設け、別端はボルト・ナットへ嵌合する嵌合部を設ける。
ソケット嵌合部の特徴は、内側縁に２４個の凸部を設け、該２４個の凸部は間隔を取って配列しており、該間隔を取って配列する凸部間へ凹型の溝を設けており、嵌合部内の２４個の凸部及び凹型の溝により、ボルト・ナットとの嵌合関係は更に緊密になり、ボルトを締緩するときに起こりうる空回りを防止し、確実に産業利用価値のある発明に相当するものである。
本発明の優れた点
１．本発明のソケット嵌合部の構造は、嵌合部内縁へ２４個の凸部及び凹型溝を設け、        異なるボルトへ嵌合することができる以外に、同時にソケットとボルトは更に緊        密に嵌合する効果を達成し、ボルトを締緩するとき、手工具におこりうる空回り        を避ける効果を具有し、公知のラチェット歯によるソケットでは凸部の数がすく        ないため、空回りを避けることはできない。
２．本発明のソケット嵌合部の構造は、２４個の凸部及び凹型溝から成る嵌合部を利用        して、四、六、八、十二角形のヘッドを具有するボルトへ容易に嵌合することが        でき、公知のラチェット歯を具有するソケットのようにボルトへ嵌合する作業に        時間を費やす必要も無く、容易にボルトへ嵌合することができる効果を達成する        。
【発明の効果】
【０００５】
本発明は、使用者が、容易にボルトへ嵌合することができ、締緩する時、手工具に起こりうる空回りを防止する目的を達成した。
【発明を実施するための最良の形態】
【０００６】
ソケット片端にはソケットレンチへ嵌入するための嵌入孔を設け、別の片端にはボルト・ナットへ嵌合する嵌合部を設けるレンチ嵌合部の構造に関する。
【実施例１】
【０００７】
本発明は一種ソケット嵌合部の構造に係り、図１に示すように、主にソケット１０に係り、
該ソケット１０の片端へソケットレンチに嵌入する嵌入孔１１、別の片端にはボルト・ナットの嵌合部１２を設けるが、該嵌合部１２の内縁へ２４個の凸部１３を設け、該２４個の凸部１３は間隔を設けて配列し、該間隔を設けて配列する凸部１３の間へ凹型溝１４を設けたソケット嵌合部の構造を主な特徴とする。
図２に示すように、特殊なラチェット型ヘッドを具有するボルト２０に係り、
該ラチェット型ヘッドを具有するボルト２０は軸部とねじ山２１及び嵌合端２２を含み、該嵌合端２２は２４個のラチェット歯２３及び円型凹部２４により構成し、
図３に示すように、ソケット１０とラチェット型ヘッドを具有するボルト２０を嵌合すると、ラチェット型ヘッドを具有するボルト２０の嵌合端２２のラチェット歯２３をソケット１０の凹型溝１４内に嵌合し、円型凹部２４はソケット１０の凸部１３と嵌合することにより、ソケット１０はラチェット型ヘッドを具有するボルト２０を締緩する効果を更に高めるものである。
特に、本発明者は数多くの方法で実験した結果、ソケット１０の嵌合部１２の凸部１３及び凹型溝１４の数を２４個及び３６個とし、同時に凹型溝１４の開口端の広さは凹型溝の底部の広さよりも小さくし、ラチェット型ヘッドを具有するボルト２０とソケット１０の嵌合関係は更に緊密さを増し、公知のラチェット歯を具有するソケット構造による締緩を改善し、手工具に起こりうる空回りなどの欠点を改善するものである。
更に図４に示すように、星型のヘッドを具有するボルト３０に係り、該星型のヘッドを具有するボルト３０は２４個の尖っている形のラチェット歯３２及び円弧面３３によって構成され、ソケット１０を該星型のヘッドを具有するボルト３０の嵌合端３１へ嵌合すると、
図５に示すように、星型ヘッドを具有するボルト３０の尖っているラチェット歯３２を嵌合部１２の凹型溝１４内へ嵌合し、相対する星型ヘッドを具有するボルト３０の円弧面３３は嵌合部１２の凸部１３へ嵌合し、これにより、ソケット１０で締緩する時、星型ヘッドを具有するボルト３０の嵌合端３１によって、完全にソケット１０の嵌合部１２へ嵌合し、締緩過程において、手工具におこりうる空回りの欠点を避けるものである。
また、図６、７に示すように、一般の六角形のヘッドを具有するボルト４０とソケット１０が嵌合するとき、六角形のボルト４０の嵌合端４１の角４２は完全に嵌合部１２の凹型溝１４内へ嵌合され、嵌合部１２の凸部１３は角４２の両側の側面４３と嵌合し、よって、上述の効果を達成する。
上述の構造以外に、ソケット１０嵌合部１２の内縁へ２４個の凸部１３及び凹型溝１４を設けることによって、
図８に示すような四角形のヘッドを具有するボルト５０、又は図９に示す八角形のヘッドを具有するボルト６０だけに限らず、本発明のソケット嵌合部の構造は、容易に各種の多角形のヘッドを備えたボルト・ナットへ嵌合する効果を達成するものである。
また図１０に示すように、本発明のソケット１０の嵌合部１２内の凹型溝１４の開口端の広さは、凹型溝１４の底部の広さよりも大きく、該凹型溝１４の開口端は外へ向かって広がる状態とすることもできる。該実施例は、上述の実施例とわずかに異なる面もあるが、重要なのは各種の多角形状のヘッドを備えたボルト・ナットへの嵌合であり、また優れた締緩力の効果を達成するものである。
【産業上の利用可能性】
【０００８】
本発明のソケット嵌合部の構造は、ボルト・ナットへ容易に嵌合することができ、手工具におこりうる空回りを避ける効果を有し、且つ各種各様のボルト・ナットに合わせていくつもソケット又はレンチなどを買いそろえる必要がないため、浪費をも避けることができ、また収納面においても場所を占領することもないので、産業上の利用可能性を大いに具有するものである。
【図面の簡単な説明】
【０００９】
【図１】本発明におけるレンチ嵌合部の構造の外観図である。
【図２】本発明におけるレンチ嵌合部の構造のラチェット型ヘッドを具有するボルトの外観図である。
【図３】本発明におけるレンチ嵌合部の構造をラチェット型ヘッドを具有するボルトへの嵌合を示す図である。
【図４】本発明におけるレンチ嵌合部の構造の星型ヘッドを具有するボルトの外観図である。
【図５】本発明におけるレンチ嵌合部の構造を星型ヘッドを具有するボルトへの嵌合を示す図である。
【図６】本発明におけるレンチ嵌合部の構造の六角形のヘッドを具有するボルトの外観図である。
【図７】本発明におけるレンチ嵌合部の構造を六角形のヘッドを具有するボルトへの嵌合を示す図である。
【図８】本発明におけるレンチ嵌合部の構造の四角形のヘッドを具有するボルトへの嵌合を示す図である。
【図９】本発明におけるレンチ嵌合部の構造を八角形のヘッドを具有するボルトへの嵌合を示す図である。
【図１０】本発明におけるレンチ嵌合部の構造のもう一つの外観図である。
【符号の説明】
【００１０】
１０    レンチ
１１    嵌入孔
１２    嵌合部
１３    凸部
１４    凹型溝
２０    ラチェット型ヘッドを具有するボルト
２１    軸部とねじ山
２２    嵌合端
２３    ラチェット歯
２４    円型凹部
３０    星型ヘッドを具有するボルト
３１    嵌合端
３２    尖っている形のラチェット歯
３３    円弧面
４０    六角形ヘッドを具有するボルト
４１    嵌合部
４２    角
４３    側面
５０    四角形のヘッドを具有するボルト
６０    八角形のヘッドを具有するボルト
【図１】
2005169558.tif 000003
【図２】
2005169558.tif 000004
【図３】
2005169558.tif 000005
【図４】
2005169558.tif 000006
【図５】
2005169558.tif 000007
【図６】
2005169558.tif 000008
【図７】
2005169558.tif 000009
【図８】
2005169558.tif 000010
【図９】
2005169558.tif 000011
【図１０】
2005169558.tif 000012